【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
前後方向（ＤＦ、ＤＲ）を規定する長手方向軸（Ｌ）を有する交換可能な旋削工具アダプタ（１０）であって、
前記長手方向軸（Ｌ）に沿って互いに間隔を置いて配置されたアダプタ前端（１５）およびアダプタ後端（１７）と、
互いに反対側の第１および第２の側面（１２、１４）、およびそれらの間に延びる周面（１６）と、
インサート保持部分（２０）を含む前方切削部分（１８）と、
前記切削部分（１８）の後方に位置するクランプ部分（２２）と、を含み、前記クランプ部分（２２）は、
前記第１の側面（１２）と、前記第２の側面（１４）に平行に延びる主当接面（２８）との間に延びる反対側の上面および底面（４０、４２）と、
前記第１の側面（１２）から横方向に延在する突出部（２９）と、を含み、前記突出部（２９）は、
主当接面（２８）と、
前記第２の側面（１４）および前記主当接面（２８）に開口している第１および第２のアダプタクランプボア（２４、２６）と、
前記底面（４０）から離れて上方向（Ｕ）に面する第１の当接面（３０）と、
前記第１の当接面（３０）に平行に延在し、その前方に位置する第２の当接面（３２）と、
前記第１の当接面（３０）の後方に位置し、それと非ゼロの表面角度（α）を形成する第３の当接面（３４）と、を含み、
前記第１、第２および第３の当接面（３０、３２、３４）は、前記主当接面（２８）に垂直な側面から見て上面および底面（４０、４２）の間に位置する、
旋削工具アダプタ（１０）。
【請求項２】
前記第１のアダプタクランプボア（２４）は、細長い非円形の第１の断面を有し、それは第１の細長い寸法（Ｅ１）および第１の短い寸法（Ｔ１）を規定し、前記第１の短い寸法（Ｔ１）は、前記第１の細長い寸法（Ｅ１）よりも短く、
前記第２のアダプタクランプボア（２６）は、細長い非円円形の第２の断面を有し、それは第２の細長い寸法（Ｅ２）および第２の短い寸法（Ｔ２）を規定し、前記第２の短い寸法（Ｔ２）は、前記第２の細長い寸法（Ｅ２）よりも短く、
前記第１の細長い寸法（Ｅ１）は、前記第２の細長い寸法（Ｅ２）と非ゼロのクランプボア角度（β）を形成する、
請求項１に記載の旋削工具アダプタ（１０）。
【請求項３】
前記突出部（２９）は、第１および第２の当接溝（２５、２７）を有し、
前記第１の当接面（３０）は、前記第１の当接溝（２５）に配置され、前記第２の当接面（３２）は、前記第２の当接溝（２７）に配置される、
請求項１または２に記載の旋削工具アダプタ（１０）。
【請求項４】
前記上面（４０）および前記底面（４２）は、互いに平行であり、
前記第１の当接面（３０）は、前記底面（４２）よりも前記上面（４０）の近くに位置する、
請求項１〜３のいずれか１項に記載の旋削工具アダプタ（１０）。
【請求項５】
モジュラー旋削工具（５０）であって、
工具ホルダ本体（５２）と、
複数の留め具（６０、６２）を介してそれに結合された、請求項１〜４のいずれか１項に記載の旋削工具アダプタ（１０）と、
を含み、
前記工具ホルダ本体（５２）は、アダプタ受け部分（５４）を含み、前記アダプタ受け部分（５４）は、
第１の受け面（７０）と、
前記第１の受け面（７０）に平行に延在し、その前方に位置する、第２の受け面（７２）と、
前記第１の受け面（７０）の後方に位置し、それと非ゼロの受容角度（γ）を形成する、第３の受け面（７４）と、
を含み、
前記第１の当接面（３０）は、前記第１の受け面（７０）に当接し、
前記第２の当接面（３２）は、前記第２の受け面（７２）に当接し、
前記第３の当接面（３４）は、前記第３の受け面（７４）に当接する、
モジュラー旋削工具（５０）。
【請求項６】
前記第３の当接面（３４）は、前記第１の受け面（７０）よりも低い位置かつ前記第２の受け面（７２）よりも高い位置で前記第３の受け面（７４）に当接する、
請求項５に記載のモジュラー旋削工具（５０）。
【請求項７】
前後方向（ＤＦ、ＤＲ）を規定する長手方向軸（Ｌ）を有する交換可能な旋削工具アダプタ（１０）であって、
前記長手方向軸（Ｌ）に沿って互いに間隔を置いて配置されたアダプタ前端（１５）およびアダプタ後端（１７）と、
第１の側面（１２）、第２の側面（１４）、およびそれらの間に延びる周面（１６）と、
インサート保持部分（２０）を含む切削部分（１８）と、
前記切削部分（１８）から延在するクランプ部分（２２）であり、前記第１の側面（１２）から前記長手方向軸（Ｌ）に対して横方向に延在する突出部（２９）を含む、クランプ部分（２２）であって、前記突出部（２９）は、第１のアダプタクランプボア（２４）およびそこから間隔を置いた第２のアダプタクランプボア（２６）を含み、前記アダプタクランプボア（２４、２６）は、前記突出部（２９）および前記第２の側面（１４）に開口している、クランプ部分（２２）と、を含み、
前記第１のアダプタクランプボア（２４）は、細長い非円形の第１の断面を有し、それは第１の細長い寸法（Ｅ１）および第１の短い寸法（Ｔ１）を規定し、前記第１の短い寸法（Ｔ１）は、前記第１の細長い寸法（Ｅ１）よりも短く、
前記第２のアダプタクランプボア（２６）は、細長い非円円形の第２の断面を有し、それは第２の細長い寸法（Ｅ２）および第２の短い寸法（Ｔ２）を規定し、前記第２の短い寸法（Ｔ２）は、前記第２の細長い寸法（Ｅ２）よりも短く、
前記第１の細長い寸法（Ｅ１）は、前記第２の細長い寸法（Ｅ２）と非ゼロのクランプボア角度（β）を形成する、
旋削工具アダプタ（１０）。
【請求項８】
前記クランプ部分（２２）は、
第１の当接面（３０）と、
第１の当接面（３０）に平行に延在し、その前方に位置する、第２の当接面（３２）と、
前記第１の当接面（３０）の後方に位置し、それと非ゼロの表面角度（α）を形成する、第３の当接面（３４）と、
をさらに含む、
請求項７に記載の旋削工具アダプタ（１０）。
【請求項９】
前記周面（１６）は、上面（４０）および底面（４２）を有し、上面（４０）および底面（４２）は、前記旋削工具アダプタの側面から見て前記長手方向軸（Ｌ）の反対側に位置し、
前記第１の当接面（３０）は、前記上面（４０）に平行で、前記上面（４０）と前記第２の当接面（３２）の長手方向延長部（３８）との間に位置する、
請求項７または８に記載の旋削工具アダプタ（１０）。
【請求項１０】
前記上面（４０）および前記底面（４２）は、互いに平行であり、
前記第１の当接面（３０）は、前記底面（４２）よりも前記上面（４０）の近くに位置する、
請求項７〜９のいずれか１項に記載の旋削工具アダプタ（１０）。
【請求項１１】
前記第１の細長い寸法（Ｅ１）および前記第１の短い寸法（Ｔ１）は、第１のアダプタボア軸（Ｃ１）で交差し、
前記第２の細長い寸法（Ｅ２）および前記第２の短い寸法（Ｔ２）は、第２のアダプタボア軸（Ｃ２）で交差する、
請求項７〜１０のいずれか１項に記載の旋削工具アダプタ（１０）。
【請求項１２】
前記切削部分（１８）は、前記第１および第２の側面（１２、１４）の間でそれに垂直な方向に測定される第１の幅（Ｗ１）を有し、
前記クランプ部分（２２）は、前記第２の側面（１４）と前記主当接面（２８）との間で測定される第２の幅（Ｗ２）を有し、
前記第１の幅（Ｗ１）は、前記第２の幅（Ｗ２）よりも小さい、
請求項７〜１１のいずれか１項に記載の旋削工具アダプタ（１０）。
【請求項１３】
前記周面（１６）は、前記長手方向軸（Ｌ）の反対側に位置する上面（４０）および底面（４２）を有し、前記長手方向軸（Ｌ）に垂直な方向において、前記アダプタクランプボア（２４、２６）は、前記上面および底面（４０、４２）の間に位置する、
請求項７〜１２のいずれか１項に記載の旋削工具アダプタ（１０）。
【請求項１４】
モジュラー旋削工具（５０）であって、
工具ホルダ本体（５２）と、
複数の留め具（６０、６２）を介してそれに結合された、請求項７〜１３のいずれか１項に記載の旋削工具アダプタ（１０）と、
を含む、
モジュラー旋削工具（５０）。
【請求項１５】
前記工具ホルダ本体（５２）は、アダプタ受け面（５５）から垂直に延びる第１、第２および第３の受け面（７０、７２、７４）を含む、
請求項１４に記載のモジュラー旋削工具（５０）。
【請求項１６】
前記工具ホルダ本体（５２）は、アダプタ受け部分（５４）を含み、前記アダプタ受け部分（５４）は、
第１の受け面（７０）と、
前記第１の受け面（７０）に平行に延在し、その前方に位置する、第２の受け面（７２）と、
前記第１の受け面（７０）の後方に位置し、それと非ゼロの受容角度（γ）を形成する、第３の受け面（７４）と、
を含み、
前記第１の当接面（３０）は、前記第１の受け面（７０）に当接し、
前記第２の当接面（３２）は、前記第２の受け面（７２）に当接し、
前記第３の当接面（３４）は、前記第３の受け面（７４）に当接する、
請求項１４または１５に記載のモジュラー旋削工具（５０）。
【請求項１７】
前記第３の当接面（３４）は、前記第１の受け面（７０）よりも低位置かつ前記第２の受け面（７２）より高位置で前記第３の受け面（７４）に当接する、
請求項１６に記載のモジュラー旋削工具（５０）。